(57)【要約】【課題】魚類を養殖する際に用いられる給餌装置において、動力源を必要とせずに確実に餌をまき散らすことができる給餌装置を提供する。【解決手段】養殖魚に給餌する給餌装置１０において、餌を貯留可能に設けられた貯留部２６と、餌を貯留する際には貯留部２６の下部を閉塞し、給餌する際には貯留部２６の下部を開口して餌を落下させるように貯留部２６の下部を開閉可能な開閉部２５と、開閉部２５よりも下方に位置し、下方に向けて徐々に大径となるように円錐形状に形成され、貯留部２６から落下した餌を円錐状の外壁面を落下させることで拡散させる拡散部２９とを具備する。【選択図】図２
0003156615.tif 000002
【実用新案登録請求の範囲】
【請求項１】
養殖魚に給餌する給餌装置において、
餌を貯留可能に設けられた貯留部と、
餌を貯留する際には貯留部の下部を閉塞し、給餌する際には貯留部の下部を開口して餌を落下させるように貯留部の下部を開閉可能な開閉部と、
前記開閉部よりも下方に位置し、下方に向けて徐々に大径となるように円錐形状に形成され、貯留部から落下した餌を円錐状の外壁面を落下させることで拡散させる拡散部とを具備することを特徴とする給餌装置。
【請求項２】
前記開閉部の下方であって且つ前記拡散部よりも上方に位置し、下方に向かうにしたがって貯留部の内径よりも徐々に小径となるように形成されるとともに、下端部に餌を前記拡散部へ落下させるように開口された落下出口を有する漏斗状部を具備することを特徴とする請求項１記載の給餌装置。
【請求項３】
前記拡散部の円錐の底面積を調整可能に設けられていることを特徴とする請求項１または請求項２記載の給餌装置。
【請求項４】
前記漏斗状部の落下出口と、前記拡散部の外壁面との間の隙間を調整可能に設けたことを特徴とする請求項１〜請求項３のうちのいずれか１項記載の給餌装置。
【請求項５】
前記拡散部は、前記開閉部の鉛直下方から離間した位置に設けられ、
貯留部から落下した餌を、前記開閉部の鉛直下方から前記拡散部の上方へ向けて落下させるように前記開閉部の鉛直下方から斜め可能に延びる延長パイプが設けられていることを特徴とする請求項１〜請求項４のうちのいずれか１項記載の給餌装置。
【考案の詳細な説明】
【技術分野】
【０００１】
本考案は給餌装置に関し、更に詳細には養殖魚に給餌する給餌装置に関する。
【背景技術】
【０００２】
魚類を養殖する場合、湾や入り江などにおいて海を仕切って生け簀を設け、この生け簀で養殖を行うことがある。しかし、自然の中に生け簀を設けることで、自然環境の変化等で漁獲高に影響が出やすい。
このため、陸上に養殖用のプールを構築し、このプールで魚類の養殖が行われるようになってきている。
【０００３】
従来より、自動的に養殖魚に餌を与える給餌装置が知られている。一方で、魚類の養殖においては、広範囲に餌をまき散らすことが必要である。
このため、給餌装置においては、餌をまき散らす機能が設けられている。例えば、餌を下方に落下させ、落下してきた餌を回転する羽根等でまき散らすようにする構造がよく知られている（例えば、特許文献１、特許文献２参照）。
【０００４】
また、回転する羽根で落下する餌をまき散らすのではなく、餌を噴出させるパイプの先端が水平方向を向くようにし、且つ鉛直方向を軸線にして回転可能に設ける構成が従来より知られている。
この構成によれば、餌を勢いよく噴出させてパイプを回転させパイプの回転によって広範囲に餌をまき散らすことができる（例えば、実用新案登録文献３参照）。
【先行技術文献】
【特許文献】
【０００５】
【特許文献１】特開平１１−３４６５９３号公報
【特許文献２】実公平６−２７０９９号公報
【特許文献３】特開平８−３０８４２８号公報
【考案の概要】
【考案が解決しようとする課題】
【０００６】
上述したような各特許文献に示されているように、給餌装置において餌をまき散らすためには、遠心力を用いることが一般的であった。
このため、特許文献１や特許文献２では、ブレードを回転させるためにモータ等の駆動手段が必要となる。また、特許文献３では、餌を水平方向に吹き出させるための空気圧を発生させるエアコンプレッサ等が必要である。
【０００７】
このように、従来の給餌装置では、餌をまき散らすための動力源が必要であったため、装置全体が大がかりなものとなってしまい、また動力源を駆動するためのコストがかさんでしまうという課題がある。
【０００８】
そこで、本考案は、上記課題を解決すべくなされ、その目的とするところは、魚類を養殖する際に用いられる給餌装置において、動力源を必要とせずに確実に餌をまき散らすことができる給餌装置を提供することにある。
【課題を解決するための手段】
【０００９】
本考案にかかる給餌装置によれば、養殖魚に給餌する給餌装置において、餌を貯留可能に設けられた貯留部と、餌を貯留する際には貯留部の下部を閉塞し、給餌する際には貯留部の下部を開口して餌を落下させるように貯留部の下部を開閉可能な開閉部と、前記開閉部よりも下方に位置し、下方に向けて徐々に大径となるように円錐形状に形成され、貯留部から落下した餌を円錐状の外壁面を落下させることで拡散させる拡散部とを具備することを特徴としている。
この構成を採用することによって、貯留部の開閉部を操作して餌を貯留部から落下させると、拡散部の外壁面へ餌が落下する。すると、餌が拡散部の外壁面に沿って外方に落下するので、動力源を用いずに餌を好適にまき散らすことができる。また、動力源を用いないので、配線等を行わなくてもよく、設置時のイニシャルコストの削減にも寄与する。
【００１０】
また、前記開閉部の下方であって且つ前記拡散部よりも上方に位置し、下方に向かうにしたがって貯留部の内径よりも徐々に小径となるように形成されるとともに、下端部に餌を前記拡散部へ落下させるように開口された落下出口を有する漏斗状部を具備することを特徴としてもよい。
この構成によれば、開閉部が開いて餌が貯留部から落下する際、開閉部の開閉位置等によって餌の落下に偏りが生じる場合があるが、この餌の偏りを無くすことができる。すなわち、開閉部が下方に向けて開く蓋体である場合、蓋体が先に開いた側に餌が集中して落下してしまい、結果として餌が不均一にまき散らされてしまうことがあるが、漏斗状部を設けると漏斗状部を餌が通過することで餌が漏斗状部で一旦集約され、その後落下するので餌が不均一にまき散らされてしまうことを防止できるのである。
【００１１】
さらに、前記拡散部の円錐の底面積を調整可能に設けられていることを特徴としてもよい。
この構成によれば、餌を拡散させる面積を調整することができるので、プールの大きさに合わせた給餌が可能である。
【００１２】
なお、前記漏斗状部の落下出口と、前記拡散部の外壁面との間の隙間を調整可能に設けたことを特徴としてもよい。
すなわち、落下出口と拡散部との間の隙間を調整することで、餌がブリッジを形成しないような間隔とすることができ、ブリッジの形成を防止して餌の落下を良好にすることができる。
【００１３】
さらに、前記拡散部は、前記開閉部の鉛直下方から離間した位置に設けられ、貯留部から落下した餌を、前記開閉部の鉛直下方から前記拡散部の上方へ向けて落下させるように前記開閉部の鉛直下方から斜め可能に延びる延長パイプが設けられていることを特徴としてもよい。
この構成によれば、プールの上方に貯留部を配置しなくても、延長パイプでプール内に向けて餌を落下させることができるので、作業者等が操作しやすい。また延長パイプを鉛直方向を軸線として回動可能に設けるようにすれば、複数のプールが存在する場合であっても、1台の給餌装置で複数のプールに順次給餌することができる。
【考案の効果】
【００１４】
本考案にかかる給餌装置によれば、何らの動力源を用いずに、養殖魚用の餌をまき散らすことができる。これにより、給餌装置全体をコンパクトな構成とすることができる。また動力源を駆動させるためのエネルギーを使わずに済む。
【図面の簡単な説明】
【００１５】
【図１】本考案に係る給餌装置を用いた養殖場の概略説明図である。
【図２】本考案に係る給餌装置の正面図である。
【図３】給餌装置の斜視図である。
【図４】漏斗状部の内部構図及び餌の落下状態を示す説明図である。
【図５】複数のプールに対して1台の給餌装置を設置したところを示す養殖場の説明図である。
【図６】漏斗状部の下端部に延長パイプを設け、且つハンドルに長尺のシャフトを設けた実施形態を示す給餌装置の説明図である。
【図７】漏斗状部の下端部に延長パイプを設け、且つ操作部に長尺のシャフトを設けた実施形態を示す給餌装置の説明図である。
【図８】拡散部の円錐の底面積の大きさを変更可能に設けた拡散部の構成を示す説明図である。
【図９】他の計量手段を採用した実施形態を説明する給餌装置の正面図である。
【図１０】図９に示した実施形態の錘の他の例を示す説明図である。
【図１１】複数の給餌装置の開閉部の開閉を一度に行うことができる実施形態を説明する説明図である。
【考案を実施するための形態】
【００１６】
まず、本考案に係る給餌装置を用いた養殖場の概要について説明する。
図１には、養殖場の一例として、陸上に設けたプール５を示している。プール５は、所定の大きさで区切られており、区画化されたマス目状を成している。図1では、区画化されたマス目状のプール５のうち、２つだけを図示している。
プール５の縁６は、作業者等が歩けるような幅に構築されている。
【００１７】
各プール５の上方には、給餌装置１０が配置されている。
給餌装置１０は、養殖場全体に張り巡らされた餌供給配管１２に固定されている。餌供給配管１２は、養殖場内のプール５の上方に配置されており、内部は養殖魚用の餌を供給するためパイプ状となっている。
ちなみに、本実施形態の給餌装置１０は、餌供給配管１２に固定されるものであるから、餌供給配管１２を自由に配置できるように養殖場は陸上に構築することが望ましい。
【００１８】
次に、給餌装置の一実施形態を図２及び図３に示し、図２及び図３に基づいて給餌装置の全体構成について説明する。なお、図３では拡散部２９については省略して図示している。
給餌装置１０には、アクリル等の透明材料から成り、断面が円形の筒状体１８が設けられている。この筒状体１８の上部には、餌を供給する餌供給配管１２と接続する供給口（図示せず）を具備する上蓋部１４が設けられている。筒状体１８の下部には、筒状体１８内から餌を排出するため漏斗状に形成された漏斗状部１６が設けられている。
【００１９】
筒状体１８は、中心軸に沿って二分割された半筒部から構成され、この半筒部の一方が固定されている固定部である固定側半筒体１８ａである。また、他方の半筒体は、固定側半筒体１８ａに対して開閉可能に設けられ開放部である開放側半筒体１８ｂである。
固定側半筒体１８ａと開放側半筒体１８ｂとは、各端部に設けた複数個の係止部２０，２２によって係止されて筒状体１８を形成する。
この開放側半筒体１８ｂには、長形状の目盛２１が設けられている。
【００２０】
筒状体１８には、筒状体１８の内壁面に外周縁が摺接して上下動可能に設けられ、底面に開閉可能に設けられた蓋２５（実用新案登録請求の範囲でいう開閉部に該当する）を具備する凹状の受け部２４が設けられている。受け部２４の上部空間が餌を貯留しておく貯留部２６として構成される。受け部２４は平面視すると円形に形成されている。
受け部２４によって仕切られた貯留部２６の容量は、養殖魚の成長に合わせて、受け部２４の位置によって調整できる。
【００２１】
上述したように、受け部２４の下面には、貯留部２６内の餌を下方へ落下させるための蓋２５が設けられている。蓋２５は、通常時は、受け部２４の下面に形成された穴を閉塞しており、レバー３２が操作されることにより、穴を露出し、貯留部２６内の餌を受け部２４の穴から落下させるように開く。
【００２２】
レバー３２は、受け部２４と共に上下動可能であり、且つ蓋２５の下面に当接する位置と蓋２５の下面とから離間した位置との間で、水平面内で移動可能である。
具体的には、レバー３２は、筒状体１８の長手方向に設けられた角柱３４の途中に設けられ、受け部２４と共に上下動するスリーブ３６から突出して形成されている。
【００２３】
なお、蓋２５は、外周縁の所定の部位において、受け部２４に対して回動可能な回動軸３３によって取り付けられている。回動軸３３は、フリーに回動可能であり、蓋２５の下面にレバー３２が位置していない場合には、蓋２５は自重により回動軸３３を中心にして回動し、受け部２４の穴が開口して餌が落下する。蓋２５の下面にレバー３２が位置していると、蓋２５の下面はレバー３２に支えられ、受け部２４の穴を閉塞するので、餌は落下せずに貯留部２６に貯留されている。
【００２４】
角柱３４の上端部は、筒状体１８の上方へ突出しており、この筒状体１８よりも上方へ突出した位置で操作部３８が設けられている。
操作部３８は、角柱３４を回動させるために作業者が操作可能に設けられている。操作部３８が角柱３４を回動させるように操作されることにより、操作部３８は角柱３４を回動させ、角柱３４に取り付けられているレバー３２が角柱３４を中心に回動し、これによりレバー３２が蓋２５の下面から外れることにより、蓋２５は支えが外れて下方に向けて開くこととなる。
【００２５】
操作部３８が先の状態と反対方向に回動されると、角柱３４が先の状態と反対方向に回動し、レバー３２が下方に開いている蓋２５の下面を押し上げて蓋２５を受け部２４の穴を閉塞する位置に戻す。
【００２６】
また、受け部２４は上下動可能に設けられており、貯留部２６の容量を受け部２４の位置によって調整可能である。
受け部２４の位置を調整可能とする上下動手段として、螺子杆２８が設けられている。
この螺子杆２８は、筒状体１８の内部を上下方向に延びて設けられている。螺子杆２８の下部は、漏斗状部１６に設けられているハンドル３０に連結しており、ハンドル３０の回転によって回転する。受け部２４の所定箇所には、螺子杆２８と螺合可能な螺子穴（図示せず）が形成されており、螺子杆２８は受け部２４の螺子穴に挿入されている。
このように構成されていることで、受け部２４は、ハンドル３０操作による螺子杆２８の回転によって、螺子杆２８に沿って上下動できる。
【００２７】
受け部２４の上下動により、貯留部２６の容量を調整できるが、貯留部２６の容量は、貯留部２６に餌が満杯に充填されたとき、養殖魚に与えるべき1回の餌が貯留される容量にするとよい。
餌の計量は、上述したように開放側半筒体１８ｂに設けられた目盛２１に基づいて行うことができる。
【００２８】
筒状体１８の下端部に設けられた漏斗状部１６は、下方に向かうにしたがって貯留部２６の内径よりも徐々に小径となるように形成されるとともに、下端部が餌を落下させるように開口した落下出口１７を有している。
漏斗状部１６の落下出口１７が形成されている部位は、筒状体１８よりも小径であり且つ同一の径となった小径筒状部１９である。
また、上述したハンドル３０は、この漏斗状部１６に設けられている。
【００２９】
漏斗状部１６の下方には、拡散部２９が設けられている。
拡散部２９は円錐形であり、円錐の頂点が漏斗状部１６の落下出口１７の中心に位置するように配置される。
漏斗状部１６の落下出口１７から餌が落下すると、円錐の外壁面に落ち、この餌が外壁面を滑り落ちていくことで、餌がまき散らかされる。
このため、拡散部２９としては餌が円滑に滑り落ちるように、表面が滑らかな部材を用いる。本実施形態では、アルミニウム等の金属製の板材を採用しているが、樹脂製等であってもよい。
【００３０】
拡散部２９の外壁面と漏斗状部１６の下端部との間には隙間ａがあいている。この隙間がなければ、餌が落下出口１７から落下しないためである。なお、この隙間の間隔があまりにも小さいとブリッジが発生してしまい、この場合も餌が落下しないおそれもある。
そこで、この隙間ａの間隔を調整可能に設けるとよい。隙間ａの間隔を調整可能とすることで、餌がブリッジを形成しないような間隔に設定することができる。
【００３１】
拡散部２９は、金属製等の取り付け部材３９によって、漏斗状部１６（小径筒状部１９）に取り付けられる。取り付け部材３９は、漏斗状部１６（小径筒状部１９）の外壁面と、拡散部２９の外壁面の双方にかしめ固定が可能となるよう、形成されている。
ただし、取り付け部材３９はかしめによって、漏斗状部１６（小径筒状部１９）及び拡散部２９に取り付けられることには限定されず、溶接、ボルト締め等によって取り付けても良い。
【００３２】
なお、ボルトで漏斗状部１６の外壁面に取り付け部材３９を取り付け可能とし、ボルトを挿入可能な穴を複数設けることにより、ボルトを挿入する穴を変更することによって、拡散部２９の外壁面と漏斗状部１６の下端部との間の隙間の間隔を調整できる。
また、漏斗状部１６の外壁面から拡散部２９へ向けてボルトを配置し、拡散部２９の外壁面からボルトを貫通させ、拡散部２９の内壁面でボルトをナットで固定するようにしてもよい。このような構成によれば、ナットのボルトへのねじ込み量によって、拡散部２９をボルトに沿って上下動させることができ、拡散部２９の外壁面と漏斗状部１６の下端部との間の隙間の間隔を調整可能である。
【００３３】
図４に、漏斗状部付近の断面図を示す。
螺子杆２８の後端部は、後端部が漏斗状部１６から内部方向に水平に延出された延出部１６ｂに位置決めされているシャフト５０の先端部に連結されている。
かかるシャフト５０は、漏斗状部１６に設けられたスリーブ１６ａに挿通されている。このスリーブ１６ａの上端部は、漏斗状部１６内に開放されており、シャフト５０との隙間から餌がスリーブ１６ａ内に入り込むことがある。このため、螺子杆２８の後端部にスカート部２８ａを形成し、スリーブ１６ａの上端部を覆い、餌がスリーブ１６ａ内に進入することを防止している。
【００３４】
また、シャフト５０の途中に設けられた歯車５０ａは、漏斗状部１６の外周に設けられたハンドル３０に連結されたシャフト３０ａの一端に設けられた歯車３０ｂと歯合しており、ハンドル３０の回動を螺子杆２８に伝達する。
尚、漏斗状部１６から水平に延出された延出部１６ｂには、筒状体１８内を水洗した際に、洗浄水を排出できるように排出孔（図示せず）が形成されている。
【００３５】
給餌装置１０を用いて養殖魚に給餌する際には、ハンドル３０を回転させて受け部２４の位置を所定位置に調整する。この際に、筒状体１８の貯留部２６に餌を満杯にしたとき、養殖魚に与える餌の量となるように、受け部２４の位置を調整する。
次いで、餌供給配管１２から餌を筒状体１８内に供給し、筒状体１８の貯留部２６に餌を満杯まで充填する。
その後、レバー３８を回動して受け部２４の底面の蓋２５を開くことによって、貯留部２６に充填された餌が受け部２４から漏斗状部１６を経由して落下する。
【００３６】
漏斗状部１６の落下出口１７から落下した餌は、円錐状の拡散部２９の外壁面に当接し、拡散部２９の外壁面に沿って外方に散らばるように外壁面を滑落する。
このようにして、本実施形態の給餌装置は、養殖魚へ給餌する際に、餌を広範囲にまき散らすことができる。
【００３７】
この様な給餌装置１０を用いて養殖魚に給餌を継続していると、筒状体１８の内壁面及び受け部２４等の筒状体１８内に設けられている部材に餌が付着してくる。付着した餌を掃除する際には、給餌装置１０を餌供給配管１２に取り付けた状態で、筒状体１８を形成する開放側半筒体１８ｂを開くことによって、筒状体１８の内壁面及び受け部２４等の部材の全体が露出し、餌が付着している箇所に外部から水噴射又は空気噴射を施して容易に水洗できる。
その結果、給餌装置１０を衛生的に維持することができ、養殖魚の衛生の管理に資することができる。
【００３８】
なお、図１では、各プール５に対して１台ずつ給餌装置１０を設けたところを示したが、各プール５に複数台の給餌装置１０が設けられていてもよい。
【００３９】
さらに、図５に示すように、複数のプールに対して１台の給餌装置を設けてもよい。
給餌装置１０はプール５の上方ではなくプール５の縁６の上方に設けておく。そして、漏斗状部１６から斜め下方に向けて突出する長尺の延長パイプ４０を設ける。
漏斗状部１６から小径筒状部１９の落下出口１７から落下する餌は、延長パイプ４０内に進入し、延長パイプ４０内を滑落していく。
【００４０】
なお、延長パイプ４０の上端部は漏斗状部１６の下端部に対して回動可能に設けておく。このため延長パイプ４０の下端部の位置を様々な位置に変更させることができる。
延長パイプ４０の下端部には、拡散部２９を設ける。拡散部２９と延長パイプ４０のとの取り付けは、上述したような取り付け部材３９を採用するとよい。
給餌の際には、給餌装置１０の貯留部２６を有する部位をプール５の縁６に配置し、給餌対象となるプール５へ向けて延長パイプ４０を回転させ、拡散部２９が給餌対象となるプール５の上方に位置するように移動させる。
【００４１】
なお、図６及び図７に示すように、延長パイプ４０を途中で分断し、この延長パイプ４０を分断した位置で下方に向けて徐々に小径となる第２の漏斗状部８０と、第２の漏斗状部８０の下端部に連結してプール５の上方へ向けて餌を落下させる第２の延長パイプ８２を設けてもよい。このような形態では第２の延長パイプ８２の下端部に拡散部２９を設ける。
【００４２】
このような構成を採用することによって、給餌装置１０をプール５の縁６に配置させることができるため操作部３８の操作やハンドル３０の操作を容易に行うことができる。
そして、本実施形態のように陸上に構築したプールで養殖を行う場合、各プール全てに給餌装置を設置しなくてもよく、イニシャルコストの削減にも寄与する。
【００４３】
なお、受け部２４を上下動させるハンドル３０は直接操作するのではなく、離れた位置から操作可能に設けても良い。
例えば、図６に示すように、ハンドル３０の回転軸と同軸となるように長尺のシャフト８９を取り付け、このシャフト８９の中途部にユニバーサルジョイント９１を設けることで、給餌装置から少なくともシャフト８９の長さだけ離れた位置にいてもハンドル３０を操作して貯留部２６の容量の調整をすることができる。
すなわち、給餌装置１０はプールの上方に位置することが好ましいが、作業者がプール内に入って操作するのは困難である。そこで、このような構成とすることにより、作業者はプールの縁からハンドル３０を操作して貯留部２６の容量の調整をすることができる。
なお、シャフト８９の中途部には、軸受け８７を設けると、シャフト８９が非常に長尺になっても操作が容易となる。本図で軸受け８７が設けられている箇所は、プール５の縁である通路の両側を囲む柵９２の上端部である。
【００４４】
さらに、図７に示したように、開閉部２５を開閉させる操作部３８も直接角柱３４を操作するのではなく、離れた位置から操作可能に設けてもよい。
かかる場合シャフト８４は、筒状部１８から下方に向けて突出した角柱３４の下端部にユニバーサルジョイント９１を介して連結させるようにして、シャフト８４を回動させることで角柱３４の回動するように設けられる。なお、図６に示したものと同様に、シャフト８４の中途部には、軸受け８７を設けると、シャフト８４が非常に長尺になっても操作が容易となる。本図で軸受け８７が設けられている箇所は、プール５の縁である通路の両側を囲む柵９２の上端部である。
このような構成とすることにより、作業者はプールの縁から操作部３８を操作して給餌をすることができる。
【００４５】
なお、図６に示したような受け部２４を上下動させるハンドル３０を長尺なシャフト８９にする構成と、図７に示したような開閉部２５を開閉させる操作部３８を長尺なシャフト８４にする構成を組み合わせて、受け部２４の上下動と開閉部２５の開閉の双方を長尺なシャフトで行えるようにすると好適である。
【００４６】
また、拡散部の他の実施形態として、拡散部２９の円錐の底面積を調整可能に設けた場合について、図８に基づいて説明する。
図８に示す拡散部２９は、傘と同様の構成を有しており、開いた状態と閉じた状態との間で開閉可能である。拡散部２９の円錐の中心には、上下方向に延びるシャフト７０が配置されており、シャフト７０を中心に複数本のリブ７２が放射状に配置される。リブ７２の表面には、布製等で変形可能な外壁材が張り渡されている。
【００４７】
シャフト７０には、シャフト７０を貫通させてシャフト７０に沿って上下動するランナー７４が設けられ、ランナー７４とリブ７２との間には、ストレッチャー７６が掛け渡されて配置されている。
ストレッチャー７６の下端部は、ランナー７４に回動可能に取り付けられており、ストレッチャー７６の上端部はリブ７２に回動可能に取り付けられている。
【００４８】
したがって、作業者がランナー７４をシャフトに沿って上下動させることにより、ストレッチャー７６がリブ７２の傾斜角を変えるように、ランナー７４と共に移動するので、円錐の底面積を調整することができる。
このように、拡散部２９の底面積を変更できるようにしたことにより、プール５の大きさに合わせて餌を撒く範囲を設定することができる。
【００４９】
さらに、他の実施形態について、図９に基づいて説明する。
図２及び図３に示した給餌装置１０は、筒状体１８内に目盛２１が形成されることで計量手段が設けられているものである。しかし、筒状体１８の外部に計量手段が設けられていてもよい。
その一例を図９に示す。図９に示す給餌装置は、餌供給配管１２に連結されている接続部６０に回動自在に設けられたレバー（図示せず）の一端部に、錘６６を保持するホルダ６２が回動自在に設けられていると共に、レバーの他端部にシャフト（図示せず）が設けられている。このシャフトに四角形の筒状体１８の上端部が吊り下げされている。更に、レバーのホルダ６２側には、接続部６０に形成された餌の供給口を開閉するシャッター６４が接続されている。このため、筒状体１８に貯留される餌の重さが錘６６よりも重くなったとき、レバーの筒状体１８側が降下すると共に、レバーのホルダ６２側が上昇してシャッター６４が接続部６０の供給口を閉じるように構成されている。
【００５０】
この錘６６は、長形であって、端部の一方が筒状体１８から離れるようにホルダ６２から引き出されたとき、筒状体１８に貯留される餌量は増加する。
また、筒状体１８の下端部にもシャッター６８が設けられており、シャッター６８を人手又は機械で上方又は下方に移動することによって、シャッター６８を開閉できる。図９に示すシャッター６８の位置は、シャッター６８を閉じて筒状体１８内に餌を貯留できる状態である。
尚、ホルダ６２から引き出された錘６６とのバランスを取るため、錘６６の他方の端部側にバランサ６７が設けられている。
【００５１】
なお、図９に示した実施形態においては、ホルダ６２に保持された錘６６の水平方向へのスライド位置に基づいてシャッター６４の開閉を調整した。
しかし、図１０に示すように、図９の符号６６に示す部材を、錘を載せるための棹６６として設けられても良い。
この場合、棹６６に錘９９を吊り下げたり、あるいは錘９９を載せたりして構成することができる。
【００５２】
図１１に、複数設けられた給餌装置１０の開閉部２５の開閉を１回の動作で全て実行させる構成を示す。なお、ここでは給餌装置を２台しか図示していないが、給餌装置の数はこれに限定されることなく、もっと多数の給餌装置に対しての構成であってもよい。
複数の給餌装置１０にわたって、筒状体１８の上方に突出した角柱３４の各上端部または各操作部３８を連結する連結ロッド９０が設けられ、作業者はこの連結ロッド９０を操作することによって、複数の給餌装置１０の開閉部２５の開閉を一度に実行することができる。
【００５３】
なお、連結ロッド９０の一端部には、作業者が把持できるようにハンドル９６を設け、他端部には圧縮スプリング等の付勢手段９４を設けて配管１２に取付けたり、建物の壁面等に固定するとよい。
このようにすれば、作業者はハンドル９６を握って操作できるので操作しやすくなる。また、他端部が他端方向に常時付勢されているので、作業者は付勢手段９４の付勢力に抗して連結ロッド９０を引っ張って角柱３４を回動させて開閉部２５を開き、餌を落下させた後にハンドル９６から手を離せば、付勢手段９４の付勢力によって連結ロッド９０は自動的に元の位置に戻り、開閉部２５が閉じるので、作業者の操作が極めて容易となる。
【００５４】
なお、上述してきた各実施形態では、筒状体１８が、半筒体として開口可能な構成を採用した例について説明してきたが、本考案の給餌装置としてはこのような構成に限定されるものではない。
【実施例】
【００５５】
図２に示した給餌装置１０において、拡散部２９として、直径６５０ｍｍ、高さ１５０ｍｍ、傾斜角が２５°のものを採用し、筒状部１８の上端部が高さ２３００ｍｍの位置となる位置から餌を落下させた。
すると、直径３０００ｍｍの範囲内でほぼ均等に餌をまき散らすことができた。
【符号の説明】
【００５６】
５  プール
６  縁
１０  給餌装置
１２  餌供給配管
１４  上蓋部
１６  漏斗状部
１７  落下出口
１８  筒状体
１９  小径筒状部
２０，２２  係止部
２１  目盛
２４  受け部
２５  蓋（開閉部）
２６  貯留部
２８  螺子杆
２９  拡散部
３０  ハンドル
３２  レバー
３３  回動軸
３４  角柱
３８  操作部（レバー）
３９  取り付け部材
４０  延長パイプ
５０  シャフト
６０  接続部
６２  ホルダ
６４，６８  シャッター
６６  錘
６７  バランサ
７０  シャフト
７２  リブ
７４  ランナー
７６  ストレッチャー
８０  第２の漏斗状部
８２  第２の延長パイプ
８４，８９  長尺なシャフト
８７  軸受け
９０  連結ロッド
９１  ユニバーサルジョイント
９２  柵
９４  付勢手段
９６  ハンドル
９９  錘
【図１】
0003156615.tif 000003
【図２】
0003156615.tif 000004
【図４】
0003156615.tif 000005
【図６】
0003156615.tif 000006
【図７】
0003156615.tif 000007
【図８】
0003156615.tif 000008
【図９】
0003156615.tif 000009
【図１０】
0003156615.tif 000010
【図１１】
0003156615.tif 000011
【図３】
0003156615.tif 000012
【図５】
0003156615.tif 000013
【手続補正書】
【提出日】平成21年10月28日(2009.10.28)
【手続補正１】
【補正対象書類名】実用新案登録請求の範囲
【補正対象項目名】全文
【補正方法】変更
【補正の内容】
【実用新案登録請求の範囲】
【請求項１】
養殖魚に給餌する給餌装置において、
餌を貯留可能に設けられた貯留部と、
餌を貯留する際には貯留部の下部を閉塞し、給餌する際には貯留部の下部を開口して餌を落下させるように貯留部の下部を開閉可能な開閉部と、
前記開閉部よりも下方に位置し、下方に向けて徐々に大径となるように円錐形状に形成され、貯留部から落下した餌を円錐状の外壁面を落下させることで拡散させる拡散部とを具備することを特徴とする給餌装置。
【請求項２】
前記開閉部の下方であって且つ前記拡散部よりも上方に位置し、下方に向かうにしたがって貯留部の内径よりも徐々に小径となるように形成されるとともに、下端部に餌を前記拡散部へ落下させるように開口された落下出口を有する漏斗状部を具備することを特徴とする請求項１記載の給餌装置。
【請求項３】
前記漏斗状部の落下出口と、前記拡散部の外壁面との間の隙間を調整可能に設けたことを特徴とする請求項２記載の給餌装置。
【請求項４】
前記拡散部の円錐の底面積を調整可能に設けられていることを特徴とする請求項１〜請求項３記載のうちのいずれか１項記載の給餌装置。
【請求項５】
前記拡散部は、前記開閉部の鉛直下方から離間した位置に設けられ、
貯留部から落下した餌を、前記開閉部の鉛直下方から前記拡散部の上方へ向けて落下させるように前記開閉部の鉛直下方から斜め可能に延びる延長パイプが設けられていることを特徴とする請求項１〜請求項４のうちのいずれか１項記載の給餌装置。